(57)【特許請求の範囲】
【請求項１】
出発地および目的地を含む探索条件と、道路ネットワーク情報とに基づき、前記出発地から前記目的地への案内経路を探索し、前記案内経路を示す案内経路情報を生成する案内経路探索手段と、
前記道路ネットワーク情報に基づき、前記案内経路における分岐地点から所定の避難地点への避難経路を探索し、前記避難経路を示す避難経路情報を生成する避難経路探索手段と、を備えることを特徴とする情報処理システム。
【請求項２】
前記避難経路探索手段が探索した避難経路が適切か否かを、その避難経路の移動の負荷を示すコストに応じて判定する判定手段を備えることを特徴とする請求項１に記載の情報処理システム。
【請求項３】
前記判定手段は、前記避難経路の移動の負荷を示す第１のコストと、前記分岐地点から前記出発地への前記案内経路の移動の負荷を示す第２のコストとを比較して、前記避難経路が適切か否かを判定することを特徴とする請求項２に記載の情報処理システム。
【請求項４】
前記コストは、当該経路の距離および属性のうちの少なくとも１つに基づいて定められることを特徴とする請求項２または３に記載の情報処理システム。
【請求項５】
前記コストは、天気を考慮して定められることを特徴とする請求項２乃至４のいずれかに記載の情報処理システム。
【請求項６】
前記道路ネットワーク情報は、複数のノードと、前記ノード間を接続する複数のリンクと、を含み、
前記案内経路探索手段は、前記ノードおよび前記リンクを含む前記案内経路を探索し、
前記避難経路探索手段は、前記案内経路に含まれるノードのうち、前記案内経路に含まれないリンクと接続されたノードを前記分岐地点として、前記避難地点への前記避難経路を探索することを特徴とする請求項１乃至５のいずれかに記載の情報処理システム。
【請求項７】
前記避難経路探索手段は、前記分岐地点から前記案内経路に含まれない前記リンクを辿り、所定距離範囲内で前記避難地点と接続していれば、前記分岐地点から前記避難地点への経路を前記避難経路とすることを特徴とする請求項６に記載の情報処理システム。
【請求項８】
前記避難経路探索手段は、前記分岐地点から所定距離範囲内に含まれる経路を探索し、前記避難地点と接続している経路があれば、その経路を前記避難経路とすることを特徴とする請求項１乃至６のいずれかに記載の情報処理システム。
【請求項９】
前記所定距離は、前記分岐地点から前記出発地への距離であることを特徴とする請求項７または８に記載の情報処理システム。
【請求項１０】
前記道路ネットワーク情報は、前記複数のノードのそれぞれが前記避難地点と接続しているか否かの情報を含み、
前記避難経路探索手段は、前記分岐地点のうち、前記避難地点と接続しているノードから、そのノードと接続している前記避難地点への経路を探索して、前記避難経路とすることを特徴とする請求項６に記載の情報処理システム。
【請求項１１】
前記避難地点は、登山口、避難所、一般道との接続地点、前記出発地のうちの少なくとも１つであることを特徴とする請求項１乃至１０のいずれかに記載の情報処理システム。
【請求項１２】
現在位置および現在時刻を取得する現在状況情報取得手段と、
前記案内経路における所定の位置の通過予定時間と、前記現在位置および前記現在時刻と、を比較し、ユーザが前記案内経路を適切に移動できているか否かを判定する避難通知手段と、
前記避難通知手段により、適切に移動できていないと判定された場合、前記避難経路情報を優先して表示する表示手段と、を備えることを特徴とする請求項１乃至１１のいずれかに記載の情報処理システム。
【請求項１３】
コンピュータを、
出発地および目的地を含む探索条件を設定する探索条件設定手段、および、
道路ネットワーク情報および前記探索条件に基づいて探索される、前記出発地から前記目的地への案内経路を示す案内経路情報と、前記道路ネットワーク情報に基づいて探索される、前記案内経路における分岐地点から所定の避難地点への避難経路を示す避難経路情報と、を受信する経路情報受信手段として機能させる情報処理プログラム。
【請求項１４】
案内経路探索手段が、出発地および目的地を含む探索条件と、道路ネットワーク情報とに基づき、前記出発地から前記目的地への案内経路を探索し、前記案内経路を示す案内経路情報を生成するステップと、
避難経路探索手段が、前記道路ネットワーク情報に基づき、前記案内経路における分岐地点から所定の避難地点への避難経路を探索し、前記避難経路を示す避難経路情報を生成するステップと、を備える情報処理方法。
【請求項１５】
コンピュータを、
出発地および目的地を含む探索条件と、道路ネットワーク情報とに基づき、前記出発地から前記目的地への案内経路を探索し、前記案内経路を示す案内経路情報を生成する案内経路探索手段、および、
前記道路ネットワーク情報に基づき、前記案内経路における分岐地点から所定の避難地点への避難経路を探索し、前記避難経路を示す避難経路情報を生成する避難経路探索手段として機能させる情報処理プログラム。
【発明の詳細な説明】
【技術分野】
【０００１】
本発明は、出発地から目的地への経路を提示する情報処理システム、情報処理装置、情報処理プログラムおよび情報処理方法に関する。
【背景技術】
【０００２】
近年、ユーザが使用する端末装置からネットワークを介してサーバに経路探索要求を送信し、地図情報データベースを備えたサーバで経路探索を行い、その経路情報を端末装置に送信して表示する経路案内システムが広く普及している。このシステムにより、ユーザは経路情報が表示された端末装置を持ち歩いて使用することもできる。
【０００３】
例えば、登山を行う人口が年々増加しつつあるが、登山に使用できる持ち運び可能なナビゲーション装置が提案されている（例えば、特許文献１）。特許文献１では、登山口から山頂への登頂経路あるいは山頂から登山口への下山経路を探索することができ、これらの経路を電子化されて取り込まれた紙地図上に表示することができる。ユーザは、このナビゲーション装置を見ながら行動することで、道に迷うことなく目的地へ進むことができる。
【先行技術文献】
【特許文献】
【０００４】
【特許文献１】特開２００６−３００８６７号公報
【発明の概要】
【発明が解決しようとする課題】
【０００５】
ところで、登山計画を立てる際、登山経路あるいは下山経路の他に、避難経路を予め調べておく必要がある。一般的なナビゲーション装置では、出発地および目的地を設定しなければ経路探索を行えないが、避難経路の場合、避難先としての目的地がはっきりしないため、ユーザが適切な避難経路を探索するのは困難である。
【０００６】
また、登山あるいは下山の最中に目的地まで到達するのが困難と感じ、避難経路を探索したい場合も、現在位置に対する避難先をユーザが設定しなければならず、必ずしも適切な避難経路を探索できるとは限らないという問題がある。
【０００７】
本発明は上記の問題点に鑑みてなされたものであり、その目的は、適切な避難経路を提示可能な情報処理システム、情報処理装置、情報処理プログラムおよび情報処理方法を提供するものである。
【課題を解決するための手段】
【０００８】
本発明の一態様によれば、情報処理システムは、案内経路探索手段と、避難経路探索手段とを備える。前記案内経路探索手段は、出発地および目的地を含む探索条件と、道路ネットワーク情報とに基づき、前記出発地から前記目的地への案内経路を探索し、前記案内経路を示す案内経路情報を生成する。前記避難経路探索手段は、前記道路ネットワーク情報に基づき、前記案内経路における分岐地点から所定の避難地点への避難経路を探索し、前記避難経路を示す避難経路情報を生成する。
【発明の効果】
【０００９】
本発明によれば、出発地から目的地への案内経路上の分岐地点から避難地点までの避難経路を、避難地点をユーザが設定することなく自動的に探索できるので、適切な避難経路を提示することができる。
【図面の簡単な説明】
【００１０】
【図１】経路探索システムの構成を示す概略ブロック図。
【図２】本発明の第１の実施形態に係る端末装置１およびサーバ２の内部構成の一例を示すブロック図。
【図３】道路ネットワーク情報データベース２２２に含まれる道路ネットワーク情報の構成を示す図。
【図４】施設情報データベース２２３に含まれる施設情報の構成を示す図。
【図５】図２の経路探索システムの処理動作の一例を示すシーケンス図。
【図６】判定部２３４による判定手法の一例を示す図。
【図７】表示部１２２に表示される画面の一例を示す図。
【図８】本発明の第２の実施形態に係る端末装置１ａおよびサーバ２の内部構成の一例を示すブロック図。
【図９】図８の経路探索システムの処理動作の一例を示すシーケンス図。
【発明を実施するための形態】
【００１１】
以下、本発明に係る実施形態について、図面を参照しながら具体的に説明する。
【００１２】
（第１の実施形態）
図１は、経路探索システムの構成を示す概略ブロック図である。経路探索システムは、端末装置１と、サーバ２と、ネットワーク３とを備えている。図示のように、端末装置１はネットワーク３を介してサーバ２と通信を行う。
【００１３】
端末装置１はユーザにより設定された少なくとも出発地および目的地を含む探索条件を有する探索要求を、ネットワーク３を介して、サーバ２に送信する。本実施形態では、サーバ２は経路探索装置として動作する。探索要求を受信したサーバ２は探索条件に基づいて出発地から目的地への経路を探索し、ネットワーク３を介して、探索により得られた経路を示す経路情報を端末装置１に送信する。そして、端末装置１は受信した経路を提示する。
【００１４】
端末装置１はユーザが使用するものであり、例えば携帯電話、スマートフォンもしくはタブレット端末等のモバイル電子機器、または、カーナビゲーション装置等の据え置き型の電子機器である。また、ネットワーク３は有線回線と無線回線のいずれでもよく、回線の種類や形態は問わない。
【００１５】
図２は、本発明の第１の実施形態に係る端末装置１およびサーバ２の内部構成の一例を示すブロック図である。端末装置１は、通信部１１と、制御部１２とを有する。
【００１６】
通信部１１はネットワーク３を介して制御部１２とサーバ２との間で情報を送受信するインターフェースである。
【００１７】
制御部１２は、操作入力部１２１と、表示部１２２と、探索条件設定部１２３と、探索要求送信部１２４と、経路情報受信部１２５とを有する。
【００１８】
操作入力部１２１はユーザが端末装置１に操作を入力するためのインターフェースであり、例えばモバイル電子機器におけるキーボード、タッチパッドもしくはダイヤルボタン等や、据え置き型の電子機器におけるタッチパネルやマイク等である。
【００１９】
表示部１２２は探索条件を設定するための画面や探索結果等を表示するものであり、例えば液晶ディスプレイである。表示部１２２に加え、経路案内を行う音声を出力する音声出力部を備えていてもよい。
【００２０】
探索条件設定部１２３は、ユーザから操作入力部１２１を介して出発地、目的地、時刻に関する情報等の条件を受け付けることにより、探索条件を設定する。
【００２１】
探索要求送信部１２４は探索条件を有する探索要求をサーバ２に送信し、設定された探索条件に基づいて経路探索を行うようサーバ２に要求する。
【００２２】
経路情報受信部１２５はサーバ２により探索された経路を、ネットワーク３を介して通信部１１から受信し、これを表示部１２２に表示する。
【００２３】
一方、サーバ２は、通信部２１と、記憶部２２と、制御部２３とを有する。なお、複数台の装置からなるサーバ２を構成してもよく、例えば記憶部２２と制御部２３とを別個の装置に内蔵してもよい。
【００２４】
通信部２１は、ネットワーク３を介して、端末装置１との間で情報を送受信するインターフェースである。
【００２５】
記憶部２２はハードディスク等の固定型データストレージであり、交通ネットワーク情報データベース２２１と、道路ネットワーク情報データベース２２２と、施設情報データベース２２３と、地図情報データベース２２４とを記憶する。
【００２６】
交通ネットワーク情報データベース２２１は、交通網を規定する交通ネットワーク情報として、鉄道やバスといった交通機関の路線情報、時刻表情報、料金情報等の情報を含む。
【００２７】
図３は、道路ネットワーク情報データベース２２２に含まれる道路ネットワーク情報の構成を示す図である。道路ネットワーク情報は道路網を規定する情報であり、例えば交差点等の道路網表現上の結節点であるノードのデータと、ノード間の道路区間であるリンクのデータとの組み合わせによって表現される。
【００２８】
同図（ａ）に示すように、ノードのデータは各ノードに固有のノードＩＤ（ＮＡ，ＮＢ・・・）等を含む。また、同図（ｂ）に示すように、リンクのデータは、各リンクに固有のリンクＩＤ（ＬＡ，ＬＢ・・・）、リンクの一端と接続されるノードを示すノード１ＩＤ、リンクの他端と接続されるノードを示すノード２ＩＤ、当該道路区間が山道であるか一般道であるか等を示すリンク種別、当該道路区間の移動の負荷を示すコスト等を含む。コストは、例えば距離や移動に要する時間、区間の属性等に応じて予め定められる。また、コストは予め定められた固定値であってもよいし、天気等に応じて変化する値であってもよい。
【００２９】
図４は、施設情報データベース２２３に含まれる施設情報の構成を示す図である。同図に示すように、施設のデータは、施設に固有の施設ＩＤ（ＦＡ，ＦＢ・・・）および施設種別等を含む。施設種別は、例えば、コンビニエンスストア、ガソリンスタンド、登山口、休憩所等である。また、施設の位置を示す位置情報を含んでいてもよい。なお、施設は、必ずしもノードあるいはリンクに対応する位置に存在するわけではない。
【００３０】
地図情報データベース２２４には地図情報が含まれ、地図情報に対応する位置に存在する交通ネットワーク情報、道路ネットワーク情報および施設情報が各データベースに含まれる。
【００３１】
制御部２３は、探索要求受信部２３１と、案内経路探索部２３２と、避難経路探索部２３３と、判定部２３４と、経路情報送信部２３５とを有する。
【００３２】
探索要求受信部２３１は、端末装置１から探索条件を有する探索要求を受信し、案内経路探索部２３２に転送する。
【００３３】
案内経路探索部２３２は、探索要求に応じ、記憶部２２に記憶された各種データベースの情報を用いて、探索条件に基づいて出発地から目的地への案内経路を探索し、その経路を示す案内経路情報を生成する。
【００３４】
避難経路探索部２３３は、本実施形態の特徴の１つであり、案内経路における分岐地点から所定の避難地点への避難経路の候補を探索し、その経路を示す避難経路情報を生成する。避難経路の候補が複数得られることもある。避難地点は、予め定めた特定種別の施設（例えば登山口や避難所）、一般道との接続地点であり、ユーザが設定する必要はない。また、出発地を避難地点としてもよい。この場合もユーザが探索時に出発地を設定すると、自動的に避難地点の１つとしてこの出発地が設定されるため、避難地点としてユーザが設定する必要はない。
【００３５】
判定部２３４は、避難経路の候補が避難経路として適切か否かを判定する。
【００３６】
経路情報送信部２３５は、案内経路情報および適切と判定された避難経路情報を、通信部２１からネットワーク３を介して、端末措置１の経路情報受信部１２５へ送信する。
【００３７】
図５は、図２の経路探索システムの処理動作の一例を示すシーケンス図である。同図は、例えば出発地から目的地への案内経路を探索するときに、避難経路も自動的に探索するものである。
【００３８】
まず、端末装置１の探索条件設定部１２３は探索条件設定画面を表示部１２２に表示する。これに応じて、ユーザは操作入力部１２１を介して探索条件設定画面を操作し、少なくとも出発地および目的地を含む探索条件を設定する。そして、探索要求送信部１２４は、探索条件を有する探索要求を、通信部１１からネットワーク３を介して、サーバ２の探索要求受信部２３１へ送信する（ステップＳ１）。出発地および目的地は任意の位置でよく、例えば道路ネットワーク情報におけるいずれかのノードや施設情報における施設の位置であってもよい。
【００３９】
探索要求受信部２３１が探索要求を受信すると（ステップＳ２１）、これに応じて、案内経路探索部２３２は記憶部２２に記憶された各種データベースおよび探索条件に基づき、出発地から目的地への案内経路を探索し、その案内経路を示す案内経路情報を生成する（ステップＳ２２）。本実施形態では、案内経路が出発地から目的地への一部に交通機関を使用する区間を含んでもよいが、少なくとも一部には徒歩で移動する道路区間であることを念頭に置いている。
【００４０】
より具体的には、徒歩で移動する道路区間は、道路ネットワーク情報におけるノードと、ノード間を接続するリンクとを含む。また、出発地がノード上にない場合、案内経路探索部２３２は出発地と最も近いノードから目的地への経路を探索する。目的地がノード上にない場合も同様である。
【００４１】
続いて、案内経路に山道が含まれる場合、すなわち、上記道路区間に含まれる少なくとも一部のリンクのリンク種別が山道である場合、避難経路探索部２３３は、道路ネットワーク情報を用いて、案内経路における分岐地点から避難地点への避難経路の候補を探索する（ステップＳ２３）。
【００４２】
分岐地点は、例えば案内経路上のノードであって、案内経路に含まれないリンクと接続されているノードである。また避難地点は、上述のように、例えば登山口や避難所、一般道との接続地点である。登山口や避難所等の施設は、図４に示す施設情報データベース２２３における施設種別に基づいて検索すればよく、例えば施設ＩＤがＦＳ，ＦＴの施設が該当する。また、一般道との接続地点は、図３に示す道路ネットワーク情報データベース２２２に基づいて、リンク種別が一般道であるリンクと、山道であるリンクと、の両方に接続されているノードを検索すればよく、例えばノードＩＤがＮＵのノードが該当する。
【００４３】
避難経路の候補を探索する手法の第１の例として、分岐地点から案内経路に含まれないリンクと接続されているか否かを判断し、接続されている場合はそのリンクを辿り、所定距離範囲内で避難地点と接続していれば、その分岐地点から当該リンクを経由した避難地点への経路を避難経路の候補とすることができる。
【００４４】
第２の例として、予め距離範囲を設定し、その距離範囲内に含まれる、分岐地点からの経路をすべて探索し、避難地点と接続している経路があれば、その経路を避難経路の候補とする（到達圏探索）。
【００４５】
上記の各例において、距離範囲は、例えば分岐地点から出発地点への距離としてもよい。
【００４６】
第３の例として、道路ネットワーク情報におけるノードのデータとして、避難地点と接続しているか否かの情報と、接続している場合はどの避難地点と接続しているかを示す情報（例えば、避難地点のノードＩＤや施設ＩＤ）とを予め付与しておく。そして、分岐地点であるノードのうち、そのノードと接続している避難地点への経路を探索して避難経路の候補とする。
【００４７】
避難経路の候補を探索する手法はこれらに限られるものではない。例えば、出発地を避難地点として、分岐地点から避難地点への経路を避難経路の候補としてもよい。
【００４８】
避難経路の候補が得られると、判定部２３４は、避難経路の候補が避難経路として適切か否かを、避難経路に含まれるリンクのコストを考慮して判定する（ステップＳ２４）。避難経路の候補であったとしても、距離が長い場合や険しい場合は避難経路としては不適切だからである。
【００４９】
図６は、判定部２３４による判定手法の一例を示す図である。実際の案内経路や避難経路には多くのリンクやノードを含むが、同図では、説明を簡略化するために以下のように仮定している。なお、図６は図３および図４と対応している。
【００５０】
案内経路は、ノードＩＤがＮＡのノード（以下、ノードＮＡと呼ぶ。他も同様）を出発地とし、ノードＮＢ，ＮＣ，ＮＤを経由して、目的地であるノードＮＺに到達する。各ノード間はリンクＬＡ〜ＬＣによりそれぞれ接続されている。ノードＮＢは分岐地点であり、リンクＬＳを介して、避難地点である施設ＦＳ（休憩所）への避難経路の候補Ｅ１がある。他の避難経路の候補Ｅ２，Ｅ３も同様である。また、リンクに付された数値はそのリンクのコストを示している。
【００５１】
判定部２３４は、分岐地点から出発地へ案内経路を移動するコストと、分岐地点から避難地点へ避難経路を移動するコストとを比較し、避難地点へのコストの方が小さい場合に、その避難経路の候補を避難経路として適切と判定する。一方、出発地へのコストが小さい場合、分岐地点から避難地点へ移動するよりも出発地へ戻る方が負荷が小さいため、避難経路として不適切と判定する。
【００５２】
例えば、ノードＮＢから施設ＦＳへの避難経路の候補Ｅ１は、コストが４０である。これに対し、出発地へのコストは３０である。したがって、判定部２３４は、ノードＮＢから施設ＦＳへの避難経路の候補Ｅ１は、避難経路として不適切と判定する。一方、ノードＮＣから施設ＦＴへの避難経路の候補Ｅ２は、コストが４０である。これに対し、出発地へのコストは２０＋３０＝５０である。したがって、判定部２３４は、ノードＮＣから施設ＦＴへの避難経路の候補Ｅ２を、避難経路として適切と判定する。同様に、判定部２３４は、ノードＮＤからノードＮＵへの避難経路の候補Ｅ３を、避難経路として適切と判定する。
【００５３】
その他、判定部２３４は、避難地点の属性に応じて、避難経路の候補が適正か否かを判定してもよい。例えば、避難地点から交通機関への距離や、避難地点から自宅への移動コスト等を考慮してもよい。
【００５４】
判定部２３４による判定が完了すると、経路情報送信部２３５は、案内経路情報および適切と判定された避難経路情報を通信部２１からネットワーク３を介して端末装置１に送信する（ステップＳ２５）。適切と判定された避難経路情報が複数ある場合、経路情報送信部２３５は、全ての避難経路情報を送信してもよいし、その中で最もコストが小さい避難経路情報のみを送信してもよい。そして、端末装置１の経路情報受信部１２５はこれらを受信する（ステップＳ２）。さらに、表示部１２２は案内経路情報および避難経路情報を表示する（ステップＳ３）。
【００５５】
図７は、表示部１２２に表示される画面の一例を示す図であり、図６と対応している。同図に示すように、出発地から目的地への案内経路情報（実線）に加え、分岐地点（ノードＮＣ）から登山口（施設ＦＴ）を避難地点とする避難経路Ｅ２と、分岐地点（ノードＮＤ）から一般道との接続地点（ノードＮＵ）を避難地点とする避難経路Ｅ３とが表示される。
【００５６】
このように、第１の実施形態では、出発地から目的地への案内経路上の分岐地点から避難地点までの避難経路を探索する。分岐地点および避難地点ともユーザが設定することなく自動的に探索できるので、経路探索装置は適切な避難経路を提示することができる。ここで得られた避難経路は、例えば登山計画を立てる際に用いることができる。
【００５７】
（第２の実施形態）
上述した第１の実施形態は案内経路を探索する際に避難経路も自動的に探索するものであったが、以下に説明する第２の実施形態では、経路案内中に随時適切な避難経路を探索してユーザに提示するものである。
【００５８】
図８は、本発明の第２の実施形態に係る端末装置１ａおよびサーバ２の内部構成の一例を示すブロック図である。図８では、図２と共通する構成部分には同一の符号を付しており、以下では相違点を中心に説明する。
【００５９】
端末装置１ａの制御部１２ａは、さらに現在状況情報取得部１２６と、避難通知部１２７とを有する。現在状況情報取得部１２６は、現在状況情報として、端末装置１の現在の位置情報および現在の時刻情報を取得するものであり、例えばＧＰＳ（Global Positioning System）受信装置である。避難通知部１２７は、ユーザの移動状況および現在状況情報に応じてユーザの行動が適切か否かを判断し、適宜避難経路での避難を促す。
【００６０】
サーバ２の構成は第１の実施形態とほぼ同様である。
【００６１】
図９は、図８の経路探索システムの処理動作の一例を示すシーケンス図である。同図は、例えば出発地から目的地への案内経路を探索するときに、避難経路も自動的に探索するとともに、ユーザに対して経路案内を行い、状況に応じて避難経路を提示するものである。なお、図５と共通する説明は省略し、相違点を中心に説明する。
【００６２】
ユーザは、出発地および目的地に加え、出発時刻または到着時刻を含む探索条件を設定し、これを探索要求送信部１２４はサーバ２の探索要求受信部２３１へ送信する（ステップＳ１）。
【００６３】
案内経路探索部２３２は、探索条件に含まれる出発時刻または到着時刻を考慮して、出発地から目的地への案内経路を探索する（ステップＳ２２’）。ここで、案内経路情報に、案内経路における所定の位置、例えばノードごとの、想定される通過時刻を付しておく。このような案内経路情報と、第１の実施形態と同様にして生成される避難経路情報とを、経路情報送信部２３５は端末装置１ａへ送信する（ステップＳ２５）。なお、避難経路情報を到達圏探索により行う場合、現在位置情報を端末装置１から取得して、現在位置を基準として到達圏探索を行ってもよい。
【００６４】
端末装置１の経路情報受信部１２５は案内経路情報および避難経路情報を受信して保持する（ステップＳ２）。そして、現在状況情報取得部１２６がユーザの現在位置を取得して（ステップＳ１１）、経路案内を行う（ステップＳ１２）。すなわち、表示部１２２上に案内経路情報および現在位置を表示し、ユーザが進むべき経路を提示する。
【００６５】
経路案内を行うとともに、避難通知部１２７は、案内経路情報に含まれる、案内経路における所定の位置の想定される通過時刻と、現在位置および現在時刻とを比較し、ユーザが適切に移動できているか否かを判定する（ステップＳ１３）。例えば、想定される通過時刻から所定時間以上遅れている場合、避難通知部１２７は適切に移動できていないと判定する。あるいは、所定のタイミング（例えば１０分ごと）に現在位置から次の所定の位置への経路探索を行い、当該位置を想定される通過時刻までに通過できなければ、避難通知部１２７は適切に移動できていないと判定する。
【００６６】
ユーザが適切に移動できている場合（ステップＳ１３のＹＥＳ）、再び現在位置を取得して経路案内を続ける。一方、ユーザが適切に移動できていない場合（ステップＳ１３のＮＯ）、表示部１２２は避難経路情報を優先的に表示する（ステップＳ１４）。より具体的には、避難経路情報を目立つ色で表示したり、太い線で表示したりする。また、避難経路へ進むように促すアラームを表示してもよい。
【００６７】
その他、日没までに目的地まで到達できないおそれがある場合や、他人の行動履歴などから、案内中の案内経路では目的地に到達できないおそれがある場合、案内経路において通行止めなどの情報が関係機関から提供された場合に、避難経路情報を優先的に表示してもよい。また、ユーザの指示に応じて避難経路を表示してもよい。
【００６８】
このように、第２の実施形態では、端末装置内に、現在状況情報取得部１２６および避難通知部１２７を設けるため、経路案内中に、ユーザが適切に移動できない場合、避難経路を優先的に表示できる。これにより、ユーザは避難地点を設定して避難経路を探索しなくても迅速に避難経路を知ることができ、より安全に登山を行うことができる。
【００６９】
なお、図２や図９の構成は一例であり、サーバ２内の構成要件の少なくとも一部が端末装置１，１ａ内にあってもよいし、逆に端末装置１，１ａ内の構成要件の少なくとも一部がサーバ２内にあってもよい。例えば、サーバ２内の記憶部２２および制御部２３を端末装置１，１ａ内に設けて、通信をすることなく端末装置１のみで経路を探索可能な経路探索装置を構成してもよい。この場合、構成に応じて、探索要求送信部１２４や探索要求受信部２３１等を適宜省略してもよい。
【００７０】
上述した実施形態で説明した経路探索システムの少なくとも一部は、ハードウェアで構成してもよいし、ソフトウェアで構成してもよい。ソフトウェアで構成する場合には、経路探索システムの少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【００７１】
また、経路探索システムの少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００７２】
上記の記載に基づいて、当業者であれば、本発明の追加の効果や種々の変形を想到できるかもしれないが、本発明の態様は、上述した個々の実施形態には限定されるものではない。特許請求の範囲に規定された内容およびその均等物から導き出される本発明の概念的な思想と趣旨を逸脱しない範囲で種々の追加、変更および部分的削除が可能である。
【符号の説明】
【００７３】
１  端末装置
１１  通信部
１２  制御部
１２１  操作入力部
１２２  表示部
１２３  探索条件設定部
１２４  探索要求送信部
１２５  経路情報受信部
１２６  現在状況情報取得部
１２７  避難通知部
２  サーバ
２１  通信部
２２  記憶部
２２１  交通ネットワーク情報データベース
２２２  道路ネットワーク情報データベース
２２３  施設情報データベース
２２４  地図情報データベース
２３  制御部
２３１  探索要求受信部
２３２  案内経路探索部
２３３  避難経路探索部
２３４  判定部
２３５  経路情報送信部
【図１】
0005956120.tif 000002
【図２】
0005956120.tif 000003
【図３】
0005956120.tif 000004
【図４】
0005956120.tif 000005
【図５】
0005956120.tif 000006
【図６】
0005956120.tif 000007
【図７】
0005956120.tif 000008
【図８】
0005956120.tif 000009
【図９】
0005956120.tif 000010